(57)【特許請求の範囲】
【請求項１】
商品に付された当該商品の分類を個々に特定するタグ情報を入力する入力手段と、
前記タグ情報に含まれる前記商品の分類を指定する指定手段と、
前記入力手段によって入力されたタグ情報の分類が前記指定手段によって指定された分類か否かを判断する分類判断手段と、
前記分類判断手段が指定されたと判断した分類に係る新規のタグ情報が前記入力手段から入力されたことを報知する報知手段と、
を備える物品管理装置。
【請求項２】
前記指定されたと判断した分類の商品が前記新規に入力された前記タグ情報の入力数をカウントするカウント手段、
をさらに備え、
前記報知手段は、前記指定されたと判断した分類の前記タグ情報が新規に入力される度に前記カウントした数値を変化させて表示する、
請求項１に記載の物品管理装置。
【請求項３】
前記報知手段は、前記指定されたと判断した分類の前記タグ情報が新規に入力されたことを音で報知する、
請求項１に記載の物品管理装置。
【請求項４】
前記カウント手段は、前記入力手段によって入力されたすべての新規のタグ情報の数を前記分類毎にカウントし、
前記指定手段は指定する分類を変更可能であり、
前記報知手段は、変更された分類について、変更された時点で前記カウント手段によって既にカウントされている数値を表示する、
請求項２に記載の物品管理装置。
【請求項５】
アンテナと、
商品に付された当該商品の分類を個々に特定するタグ情報を前記アンテナを介して入力する入力手段と、
前記タグ情報に含まれる前記商品の分類を指定する指定手段と、
前記入力手段によって入力されたタグ情報の分類が前記指定手段によって指定された分類か否かを判断する分類判断手段と、
前記分類判断手段が指定されたと判断した分類に係る新規のタグ情報が前記入力手段から入力されたことを報知する報知手段と、
を備えるタグ読取装置。
【請求項６】
物品管理装置をコンピュータにより制御するプログラムであって、
前記コンピュータを、
商品に付された当該商品の分類を個々に特定するタグ情報を入力する入力手段と、
前記タグ情報に含まれる前記商品の分類を指定する指定手段と、
前記入力手段によって入力されたタグ情報の分類が前記指定手段によって指定された分類か否かを判断する分類判断手段と、
前記分類判断手段が指定されたと判断した分類に係る新規のタグ情報が前記入力手段から入力されたことを報知する報知手段と、
として機能させるためのプログラム。
【発明の詳細な説明】
【技術分野】
【０００１】
本発明の実施形態は、物品管理装置、タグ読取装置およびプログラムに関する。
【背景技術】
【０００２】
例えば、衣料品店等の店舗において、店舗の運営者は、店舗における商品の在庫状況を管理する棚卸等の在庫管理を行っている。この場合、在庫管理の業務を実行する操作者は、タグ読取装置を用いて、在庫商品に付されたＩＣ（Integrated  Circuit）タグの読み取り操作を実行する。
【０００３】
操作者は、例えばハンディタイプのタグ読取装置を用いて、在庫を確認する商品が位置するエリアに向けて電波を放射する。タグ読取装置は、放射した電波を受信したＩＣタグが記憶したＩＣタグ情報を受信する。タグ読取装置は、ＩＣタグからＩＣタグ情報を受信したことを音で報知する。または、タグ読取装置は、表示している受信したＩＣタグ情報の数を増加させて報知する。タグ読取装置からの音や表示による報知がほぼなくなることで、操作者は、当該商品の読取が終了したことを判断する。
【０００４】
しかしながら、タグ読取装置から放射された電波は、壁や天井等で反射して、電波を放射した方向以外の他のエリアまで届くことがある。そして、タグ読取装置は、他のエリアに位置する商品のＩＣタグからもＩＣタグ情報を受信する。そのため、タグ読取装置は、電波が届く範囲のすべてのＩＣタグからＩＣタグ情報を受信するまで、音や表示による報知が止まらないことがある。このような状況では、操作者は、在庫を確認しようとする商品のＩＣタグ情報の読取が終了したかどうかを判断することができない。
【発明の概要】
【発明が解決しようとする課題】
【０００５】
本発明が解決しようとする課題は、操作者が、在庫を確認しようとする商品のＩＣタグ情報の読取が終了したかどうかを容易に判断することができる物品管理装置、タグ読取装置およびプログラムを提供することである。
【課題を解決するための手段】
【０００６】
実施形態の物品管理装置は、商品に付された当該商品の分類を個々に特定するタグ情報を入力する入力手段と、前記タグ情報に含まれる前記商品の分類を指定する指定手段と、前記入力手段によって入力されたタグ情報の分類が前記指定手段によって指定された分類か否かを判断する分類判断手段と、前記分類判断手段が指定されたと判断した分類に係る新規のタグ情報が前記入力手段から入力されたことを報知する報知手段と、を備える。
【０００７】
実施形態のタグ読取装置は、アンテナと、商品に付された当該商品の分類を個々に特定するタグ情報を前記アンテナを介して入力する入力手段と、前記タグ情報に含まれる前記商品の分類を指定する指定手段と、前記入力手段によって入力されたタグ情報の分類が前記指定手段によって指定された分類か否かを判断する分類判断手段と、前記分類判断手段が指定されたと判断した分類に係る新規のタグ情報が前記入力手段から入力されたことを報知する報知手段と、を備える。
【０００８】
実施形態のプログラムは、物品管理装置をコンピュータにより制御するプログラムであって、前記コンピュータを、商品に付された当該商品の分類を個々に特定するタグ情報を入力する入力手段と、前記タグ情報に含まれる前記商品の分類を指定する指定手段と、前記入力手段によって入力されたタグ情報の分類が前記指定手段によって指定された分類か否かを判断する分類判断手段と、前記分類判断手段が指定されたと判断した分類に係る新規のタグ情報が前記入力手段から入力されたことを報知する報知手段と、して機能させる。
【図面の簡単な説明】
【０００９】
【図１】図１は、携帯端末を装着したＲＦＩＤリーダライタの外観を示す側面図である。
【図２】図２は、ＲＦＩＤリーダライタおよび携帯端末のハードウェア構成を示すブロック図である。
【図３】図３は、携帯端末のメモリ構成を示すメモリマップである。
【図４】図４は、携帯端末の他のメモリ構成を示すメモリマップである。
【図５】図５は、ＲＦＩＤリーダライタの制御処理の流れを示すフローチャートである。
【図６】図６は、携帯端末の機能構成を示す機能ブロック図である。
【図７】図７は、携帯端末の制御処理の流れを示すフローチャートである。
【図８】図８は、携帯端末の表示画面の例を示す図である。
【図９】図９は、携帯端末の制御処理の流れを示すフローチャートである。
【図１０】図１０は、携帯端末の表示画面の例を示す図である。
【図１１】図１１は、携帯端末の表示画面の他の例を示す図である。
【発明を実施するための形態】
【００１０】
以下、図１〜図１１を参照して、実施形態の物品管理装置、タグ読取装置およびプログラムを詳細に説明する。なお、以下の実施形態では、物品管理装置として携帯端末を用いて説明する。携帯端末は、例えばスマートフォン、携帯電話、ＰＤＡ（Personal  Digital  Assistant）等である。また、実施形態では、タグ読取装置は、ハンディ型のＲＦＩＤ（Radio  Frequency  Identification）リーダライタに携帯端末を装着した装置である。ＲＦＩＤ（Radio  Frequency  Identification）リーダライタは、商品に付されたＩＣ（Integrated  Circuit）タグからＩＣタグ情報を読み取る。また、なお、以下に説明する実施形態によりこの発明が限定されるものではない。また、実施形態では、店舗の例として、衣料品等を販売するアパレルショップの説明をするが、他の商品を販売する店舗であってもよい。
【００１１】
図１は、実施形態に係るＲＦＩＤリーダライタ１に携帯端末８を装着したタグ読取装置を側面から見た側面図である。図１において、ＲＦＩＤリーダライタ１は、本体部２と、グリップ部４と、載置部６で構成されている。本体部２は、電源や回路が配置されている。また、本体部２は、略四角形の平面状のアンテナ３を内蔵している。操作者が操作時に握るグリップ部４は本体部２に対し後ろ側に配置される。
【００１２】
トリガスイッチ５はグリップ部４に設けられている。操作者が、グリップ部４を握りながらトリガスイッチ５をオンすると、ＲＦＩＤリーダライタ１は、アンテナ３から電波を放射する。操作者がトリガスイッチ５をオフすると、ＲＦＩＤリーダライタ１は、アンテナ３からの電波の放射を停止する。アンテナ３は、商品に付され、放射された電波を受信したＩＣタグから、応答波としてＩＣタグ情報を受信する。ＩＣタグ情報の詳細については後述する。
【００１３】
載置部６は、本体部２とグリップ部４の間に設けられている。載置部６は本体部２と連結している。載置部６はグリップ部４と連結している。載置部６は、一対の保持部７を備えている。保持部７は、載置部６に載置された携帯端末８の上部と下部を挟持し、携帯端末８を着脱可能に固定して保持する。保持部７に保持された物品管理装置である携帯端末８は、ＲＦＩＤリーダライタ１を操作する操作者が直視できる方向に表示部８２（図２を参照）を向けて保持される。
【００１４】
図２は、ＲＦＩＤリーダライタ１および携帯端末８のハードウェア構成を示すブロック図である。図２において、ＲＦＩＤリーダライタ１は、制御主体となるＣＰＵ２１、各種プログラムを記憶するＲＯＭ２２、各種データを展開するＲＡＭ２３、各種プログラムを記憶するメモリ部２０等を備えている。ＣＰＵ２１、ＲＯＭ２２、ＲＡＭ２３、メモリ部２０は、互いにデータバス（図示せず）を介して接続されている。ＣＰＵ２１とＲＯＭ２２とＲＡＭ２３が、制御部１１を構成する。すなわち、制御部１１は、ＣＰＵ２１がＲＯＭ２２やメモリ部２０に記憶されＲＡＭ２３に展開された制御プログラムに従って動作することによって、後述する制御処理を実行する。
【００１５】
メモリ部２０は、電源を切っても記憶情報が保持されるＨＤＤやフラッシュメモリ等の不揮発性メモリで構成され、制御プログラムを含むプログラム等を記憶する。
【００１６】
また、制御部１１は、表示部１２、操作部１３、無線通信部１４、放射受信部１５、バッテリー１７を、データバスを介して接続している。
【００１７】
表示部１２は、例えば液晶パネル等で形成されており、ＲＦＩＤリーダライタ１を操作する操作者に対して各種の情報を表示する。操作部１３は、例えばキーボードで形成されており、操作部１３を操作して種々の情報を入力する。操作部１３は、トリガスイッチ５を備えている。無線通信部１４は、携帯端末８の無線通信部８４と通信を行う。
【００１８】
放射受信部１５は、アンテナ３と接続されている。放射受信部１５は、アンテナ３から棚に陳列された衣料品等の商品に付されたＩＣタグに向けて、ＩＣタグに記憶されたＩＣタグ情報を読み取るための電波を放射する。放射された電波を受信したＩＣタグは、当該ＩＣタグに記憶されたＩＣタグ情報を応答電波に乗せて送信する。放射受信部１５は、アンテナ３が受信したＩＣタグ情報をＲＡＭ２３やメモリ部２０に記憶する。
【００１９】
バッテリー１７は、ＲＦＩＤリーダライタ１の各部に電力を供給し、当該各部を電気的に動作させる。
【００２０】
また、図２において、携帯端末８は、制御主体となるＣＰＵ９１、各種プログラムを記憶するＲＯＭ９２、各種データを展開するＲＡＭ９３、各種プログラムを記憶するメモリ部９０等を備えており、ＣＰＵ９１、ＲＯＭ９２、ＲＡＭ９３、メモリ部９０は、互いにデータバス（図示せず）を介して接続されている。ＣＰＵ９１とＲＯＭ９２とＲＡＭ９３が、制御部８１を構成する。すなわち、制御部８１は、ＣＰＵ９１がＲＯＭ９２やメモリ部９０に記憶されＲＡＭ９３に展開された制御プログラムに従って動作することによって、後述する制御処理を実行する。
【００２１】
メモリ部９０は、電源を切っても記憶情報が保持されるＨＤＤやフラッシュメモリ等の不揮発性メモリで構成され、制御プログラムを含むプログラム等を記憶する。
【００２２】
また、制御部８１は、表示部８２、操作部８３、無線通信部８４、無線通信部８５、ブザー８６、バッテリー８７を、データバスを介して接続している。操作部８３は、後述する分類を指定する際に操作する指定キー８３１を備えている。
【００２３】
表示部８２は、例えば液晶パネル等で形成されており、操作者に対して各種の情報を表示する。操作部８３は、例えばタッチ式のキーボードで形成されており、種々の情報を入力する。無線通信部８４は、ＲＦＩＤリーダライタ１の無線通信部１４と通信を行う。制御部８１の制御の指令に応動して、無線通信部８４は、バッテリー残量情報を含む各種情報を無線通信部１４との間で送受信する。無線通信部８４は、無線通信部１４から送信されたＩＣタグ情報を入力する。
【００２４】
無線通信部８５は、例えば店舗に設置されたストアサーバ（図示せず）等と種々の情報を送受信する。バッテリー８７は、携帯端末８の各部に電力を供給し、当該各部を電気的に動作させる。
【００２５】
ブザー８６は、操作者に向けてブザー音を鳴らして操作者に報知する。
【００２６】
次に、図３を用いて、携帯端末８のメモリ部９０のメモリ構成の一部を示すメモリマップについて説明する。図３において、メモリ部９０は、在庫記憶部９０１と指定分類記憶部９０２と新規ＩＣタグ情報記憶部９０３とカウンタ９０４を有する。
【００２７】
在庫記憶部９０１は、ストアサーバから送信された、在庫管理を開始する時点での商品の情報を記憶する。在庫記憶部９０１については、図４で詳細に後述する。
【００２８】
指定分類記憶部９０２は、指定された商品の分類を記憶する。商品の分類とは、同じ種類の商品をくくるための上位概念である。実施形態では「大分類」「中分類」「小分類」の３種類の分類を用いたが、これについても、図４で詳細に後述する。
【００２９】
新規ＩＣタグ情報記憶部９０３は、アンテナ３がＩＣタグから受信したすべてのＩＣタグ情報のうち、まだ記憶されていないＩＣタグ情報を追加して記憶する。新規ＩＣタグ情報記憶部９０３は、すでに記憶されているＩＣタグ情報は記憶しない。このようにすることで、新規ＩＣタグ情報記憶部９０３は、入力された新規のＩＣタグ情報のみを追加的に記憶して蓄積する。
【００３０】
カウンタ９０４は、新規ＩＣタグ情報記憶部９０３に記憶されたすべての新規のＩＣタグ情報の数をカウントする。カウンタ９０４は、後述する最小の管理単位（以降「ＳＫＵ」（Stock  Keeping  Unit）という）毎に、受信した新規のＩＣタグ情報の数をカウントする。
【００３１】
次に、図４を用いて、在庫記憶部９０１を詳細に説明する。実施形態の在庫記憶部９０１は、店舗で販売する商品を各種分類毎に分類して、商品の在庫情報を記憶する。在庫記憶部９０１は、商品分類部９０１ａ、色部９０１ｂ、サイズ部９０１ｃ、商品コード部９０１ｄ、ＳＫＵ部９０１ｅ、在庫数部９０１ｆ、シリアルＮｏ部９０１ｇを有する。
【００３２】
商品分類部９０１ａは、商品の種類を分類する。実施形態では、種類が異なる商品Ａと商品Ｂと商品Ｃを分類する。商品Ａに含まれる商品が分類「０１」、商品Ｂに含まれる商品が分類「０２」、商品Ｃに含まれる商品が分類「０３」に分類される。商品分類部９０１ａは、商品を最も大きな単位で分類（以降「大分類」という）して記憶する。
【００３３】
色部９０１ｂは、同じ種類の商品について、異なる色毎に分類する。実施形態では、商品Ａに含まれる商品のうち、黒色に含まれる商品の分類が「０１」、赤色に含まれる商品の分類が「０２」、白色に含まれる商品の分類が「０３」とされる。商品Ｂについても、色毎に、黒色の分類が「０１」、赤色の分類が「０２」、白色の分類が「０３」とされる。商品Ｃについても、色毎に、黒色の分類が「０１」、赤色の分類が「０２」、白色の分類が「０３」とされる。色部９０１ｂは、大分類に含まれる商品をさらに分類した単位（以降「中分類」という）で記憶する。
【００３４】
サイズ部９０１ｃは、同じ色の商品について、異なるサイズ毎に分類する。実施形態では、黒色の商品Ａに含まれる商品のうち、サイズＬの分類が「０１」、サイズＭの分類が「０２」、サイズＳの分類が「０３」である。同様に、赤色の商品Ａに含まれる商品のうち、サイズＬの分類が「０１」、サイズＭの分類が「０２」、サイズＳの分類が「０３」である。同様に、白色の商品Ａに含まれる商品のうち、サイズＬの分類が「０１」、サイズＭの分類が「０２」、サイズＳの分類が「０３」である。商品Ｂと商品Ｃについても、商品Ａと同様に分類される。サイズ部９０１ｃは、中分類に含まれる商品をさらに分類した単位（以降「小分類」という）で記憶する。
【００３５】
商品コード部９０１ｄは、商品、あるいは商品が属する分類を特定するための特定情報としての商品コードを記憶する。実施形態では、商品コードは大分類のレベルを特定するコードとなっているが、中分類のレベルを特定するコード、または小分類のレベルを特定するコードであってもよい。
【００３６】
ＳＫＵ部９０１ｅは、管理単位である小分類に分類された商品がどの大分類および中分類に属しているか（大分類や中分類も管理単位である）を示すコードを記憶する。一例として、ＳＫＵが「０１０１０１１１」について説明する。最上位二桁の「０１」は大分類を示す。次の二桁は中分類を示す。次の二桁は小分類を示す。最後の二桁は商品コードを示す。すなわち、ＳＫＵ「０１０１０１１１」は、大分類「０１」に属し、中分類「０１」に属し、小分類「０１」に属し、商品コードが「１１」の商品を示す。また、ＳＫＵ「０２０１０３２１」は、大分類「０２」に属し、中分類「０１」に属し、小分類「０３」に属し、商品コードが「２１」の商品を示す。なお、ＳＫＵが大分類または中分類を表すコードであってもよい。
【００３７】
在庫数部９０１ｆは、各ＳＫＵに属する商品の現在の理論在庫数を記憶する。理論在庫数とは、商品の仕入れ数から当該商品が販売された数を減算した数であり、当該商品がこれだけ在庫として残っているはずだとする理論的な数値である。具体的には、在庫数部９０１ｆは、商品の仕入れ時には、仕入れ時にすでにある在庫数＋仕入れ数が記憶される。その後、当該商品が販売される度に、在庫数部９０１ｆに記憶された数が−１減算される。その結果、在庫を調査する時点で在庫数部９０１ｆに記憶されている数が理論在庫数である。
【００３８】
シリアルＮｏ部９０１ｇは、商品を個々に区別する数値やコード（以降、総称して「シリアルＮｏ」という）を記憶する。例えば、同じＳＫＵの商品であってもシリアルＮｏ部９０１ｇに記憶するシリアルＮｏはすべて異なる。店舗に在る（在庫商品を含む）商品でシリアルＮｏが同じ商品は一つもない。シリアルＮｏが特定されると、固有の一つの商品が特定される。
【００３９】
実施形態における分類は、実施形態では大分類、中分類、小分類のいずれかであり、いずれであってもよい。また、実施形態における分類は、大分類、中分類、小分類以外の分類であってもよい。
【００４０】
また、実施形態におけるＩＣタグ情報は、ＳＫＵおよびシリアルＮｏを含む情報である。したがって、携帯端末８は、入力されたＩＣタグ情報に含まれているＳＫＵおよびシリアルＮｏに基づいて、当該ＩＣタグ情報を記憶したＩＣタグが付された商品を特定することができる。ＩＣタグ情報は、ＳＫＵおよびシリアルＮｏの他に、ＩＣタグが付された商品の価格や生地の原料や産地等の情報を含んでいてもよい。新規のＩＣタグ情報であるか否かは、受信したＩＣタグ情報に含まれるＳＫＵとシリアルＮｏと、新規ＩＣタグ情報記憶部９０３にすでに記憶されているＩＣタグ情報に含まれるＳＫＵとシリアルＮｏとに基づいて判断される。受信したＩＣタグ情報に含まれるＳＫＵとシリアルＮｏが、新規ＩＣタグ情報記憶部９０３にすでに記憶されているどのＩＣタグ情報に含まれるＳＫＵとシリアルＮｏと一致しない場合は、新規のＩＣタグ情報であると判断する。受信したＩＣタグ情報に含まれるＳＫＵとシリアルＮｏが、新規ＩＣタグ情報記憶部９０３にすでに記憶されているいずれかのＩＣタグ情報に含まれるＳＫＵとシリアルＮｏと一致した場合は、新規のＩＣタグ情報ではないと判断する。
【００４１】
次に、図５を用いて、ＲＦＩＤリーダライタ１の制御処理の流れを説明する。図５において、制御部１１は、トリガスイッチ５が操作されてオンしたか否かを判断する（Ｓ１１）。オンしたと判断した場合（Ｓ１１のＹｅｓ）、制御部１１は、アンテナ３から、商品に付された電波を放射する（Ｓ１２）。電波を受信したＩＣタグは、当該ＩＣタグが記憶しているＩＣタグ情報を含む応答波を送信する。
【００４２】
次に制御部１１は、ＩＣタグからＩＣタグ情報を受信したか否かを判断する（Ｓ１３）。受信したと判断した場合は（Ｓ１３のＹｅｓ）、制御部１１は、受信したＩＣタグ情報を、携帯端末８に送信する（Ｓ１４）。そして制御部１１は、Ｓ１１に戻る。また、ＩＣタグ情報を受信していないと判断した場合は（Ｓ１３のＮｏ）、制御部１１は、Ｓ１１に戻る。なお、Ｓ１４において、制御部１１は、ＮＦＣ（Near  Field  Communication）技術を用いて、ＩＣタグ情報を携帯端末８に送信する。
【００４３】
また、トリガスイッチ５がオンしていないと判断した場合は（Ｓ１１のＮｏ）、制御部１１は、アンテナ３からの電波の放射を停止する（Ｓ１５）。そして制御部１１は、Ｓ１１に戻る。
【００４４】
続いて、図６〜図１１を用いて、携帯端末８の制御処理の流れについて説明する。図６は、携帯端末８の機能構成を示す機能ブロック図である。制御部８１が、ＲＯＭ９２やメモリ部９０に記憶された制御プログラムを含む各種プログラムに従うことで、入力手段８１１、指定手段８１２、報知手段８１３、カウント手段８１４として機能する。
【００４５】
入力手段８１１は、商品に付された当該商品の分類を個々に特定するタグ情報を入力する機能を有する。
【００４６】
指定手段８１２は、入力手段８１１によって入力されたタグ情報に含まれる商品の分類を指定する機能を有する。
【００４７】
報知手段８１３は、指定手段８１２によって指定された分類に係る新規のタグ情報が入力手段８１１から入力されたことを報知する機能を有する。
【００４８】
カウント手段８１４は、指定手段８１２によって指定された分類の商品が新規に入力されたタグ情報の入力数をカウントする機能を有する。
【００４９】
図７および図９は、携帯端末８の制御処理の流れを示すフローチャートである。図７において、携帯端末８の制御部８１は、ストアサーバから送信された、図４に示す在庫情報を受信する。店舗が抱える商品の在庫を調査する場合に、ストアサーバは、その時点における在庫情報を、携帯端末８に送信する。制御部８１は、ストアサーバから在庫情報を受信したか否かを判断する（Ｓ２１）。受信したと判断した場合は（Ｓ２１のＹｅｓ）、制御部８１は、受信した在庫情報を在庫記憶部９０１に記憶する（Ｓ２２）。そして制御部８１は、Ｓ２１に戻る。
【００５０】
在庫情報を受信していないと判断した場合は（Ｓ２１のＮｏ）、制御部８１は、特定の分類が指定されたか否かを判断する（Ｓ３１）。携帯端末８の操作者は、操作部８３および指定キー８３１を操作して分類を指定する。指定は大分類、中分類、小分類のいずれであってもよい。
【００５１】
図４の例において、大分類のレベルを指定する場合は、操作者は、操作部８３から「０１」「０２」「０３」のいずれかの数字を入力して、指定キー８３１を操作する。例えば、操作者が「０１」と入力して指定キー８３１を操作すると、商品Ａに含まれるすべての商品（すなわち大分類）が指定される。また、中分類のレベルを指定する場合は、操作者は、大分類を示す二桁の数字と中分類を示す二桁の数字を続けて入力する。例えば、赤色の商品Ａに含まれるすべての商品を中分類として指定する場合は、「０１０２」と入力して指定キー８３１を操作する。また、小分類のレベルを指定する場合は、大分類を示す二桁の数字と中分類を示す二桁の数字と小分類を示す二桁の数字を続けて入力する。例えば、赤色でＬサイズの商品Ａに含まれるすべての商品を小分類として指定する場合は、「０１０２０１」と入力して指定キー８３１を操作する。
【００５２】
なお、操作者は、大分類、中分類、小分類を別の方法で指定することもできる。ここでは、図８を用いて大分類を指定する方法を例示する。図８において、表示部８２には、商品Ａを指定する商品Ａボタン８２４、商品Ｂを指定する商品Ｂボタン８２５、商品Ｃを指定する商品Ｃボタン８２６が表示される。操作者が、商品Ａボタン８２４をタッチして操作すると、商品Ａの大分類である「０１」が指定される。操作者が、商品Ｂボタン８２５をタッチして操作すると、商品Ｂの大分類である「０２」が指定される。操作者が、商品Ｃボタン８２６をタッチして操作すると、商品Ｃの大分類である「０３」が指定される。なお、中分類、小分類も同様にして指定することができる。
【００５３】
図７の説明に戻る。特定の分類が入力されて指定されたと判断した場合は（Ｓ３１のＹｅｓ）、制御部８１は、指定された数字を指定分類記憶部９０２に記憶する（Ｓ３２）。そして制御部８１は、Ｓ２１に戻る。
【００５４】
また、特定の分類が指定されたのではないと判断した場合は（Ｓ３１のＮｏ）、制御部８１は、ＲＦＩＤリーダライタ１からＩＣタグ情報を受信（入力）したか否かを判断する（Ｓ４１）。ＩＣタグ情報を受信したと判断した場合は（Ｓ４１のＹｅｓ）、制御部８１は、受信したＩＣタグ情報が、まだ受信していない新規なＩＣタグ情報であるか否かを判断する（Ｓ４２）。新規のＩＣタグ情報であるか否かは、受信したＩＣタグ情報に含まれるＳＫＵとシリアルＮｏが、新規ＩＣタグ情報記憶部９０３にすでに記憶されているか否かで判断する。受信したＩＣタグ情報に含まれるＳＫＵとシリアルＮｏが、新規ＩＣタグ情報記憶部９０３に記憶されていなければ新規なＩＣタグ情報と判断する。受信したＩＣタグ情報に含まれるＳＫＵとシリアルＮｏが、新規ＩＣタグ情報記憶部９０３にすでに記憶されている場合は、新規なＩＣタグ情報ではないと判断して、当該ＩＣタグ情報を読み捨てる。
【００５５】
新規なＩＣタグ情報であると判断した場合は（Ｓ４２のＹｅｓ）、制御部８１は、当該ＩＣタグ情報を新規ＩＣタグ情報記憶部９０３に記憶する（Ｓ４３）。そして、ＩＣタグ情報に含まれるＳＫＵに基づいて、当該ＳＫＵが指し示す小分類のカウント数を＋１カウントアップする（Ｓ４４）。
【００５６】
次に制御部８１は、指定された分類の有無を判断する（Ｓ４５）。指定分類記憶部９０２に分類情報が記憶されている場合は、指定された分類があると判断する。指定分類記憶部９０２に分類情報が記憶されていない場合は、指定された分類はないと判断する。
【００５７】
指定された分類があると判断した場合は（Ｓ４５のＹｅｓ）、制御部８１は、カウントアップした小分類が、Ｓ３１で指定された分類に含まれるか否かを判断する（Ｓ４６）。カウントアップした小分類が指定分類記憶部９０２に記憶された分類に含まれる場合は、制御部８１は、指定された分類であると判断する。カウントアップした小分類が指定分類記憶部９０２に記憶された分類に含まれない場合は、制御部８１は、指定された分類ではないと判断する。
【００５８】
指定された分類であると判断した場合は（Ｓ４６のＹｅｓ）、制御部８１は、図９に示す報知処理を実行する（Ｓ４７）。そして制御部８１は、指定された分類に含まれる小分類の合計数が、在庫記憶部９０１の在庫数部９０１ｆに記憶した当該ＳＫＵの在庫数の合計数と一致したか否かを判断する（Ｓ４８）。
【００５９】
図４の例において、例えば、商品Ａの黒色の商品を指定する分類（この場合は中分類）である場合は、大分類「０１」と中分類「０１」（すなわち「０１０１」）を含むＳＫＵの理論在庫数の合計数（１０＋１０＋１０＝３０）と、カウンタ９０４がカウントした「０１０１」を含むＳＫＵの合計数とを比較して、両者が一致したか否かを判断する。
【００６０】
一致したと判断した場合は（Ｓ４８のＹｅｓ）、指定された分類に含まれるすべての在庫数を読み取ったとして、指定分類の商品の読取終了メッセージを表示部８２に表示する（Ｓ４９）。そして制御部８１は、Ｓ２１に戻る。
【００６１】
なお、ＲＦＩＤリーダライタ１からＩＣタグ情報を受信していない場合は（Ｓ４１のＮｏ）、制御部８１はＳ２１に戻る。また、受信したＩＣタグ情報が新規なＩＣタグ情報ではないと判断した場合（Ｓ４２のＮｏ）、制御部８１はＳ２１に戻る。また、指定された分類がないと判断した場合は（Ｓ４５のＮｏ）、制御部８１はＳ２１に戻る。また、受信したＩＣタグ情報が指定された分類に含まれないと判断した場合は（Ｓ４６のＮｏ）、制御部８１はＳ２１に戻る。また、指定された分類に含まれる商品の理論在庫数とカウンタ９０４がカウントしたＳＫＵの合計数が一致していないと判断した場合は（Ｓ４８のＮｏ）、制御部８１はＳ２１に戻る。
【００６２】
次に、図９を用いて、Ｓ４７の報知処理について説明する。図９において、制御部８１は、カウンタ９０４から、指定分類記憶部９０２に記憶された分類に含まれるすべての商品のカウント数を読み出す（Ｓ６１）。そして制御部８１は、読み出したカウント数を表示部８２に表示（出力）する（Ｓ６２）。また、制御部８１は、カウント数が＋１更新されたことを示す音をブザー８６から出力する（Ｓ６３）。
【００６３】
図１０は、Ｓ６２において制御部８１が表示部８２に表示した一例である。図１０において、制御部８１は、表示部８２に、指定された分類の数値（図１０の例では「０１」）８２１を表示する。また、制御部８１は、当該分類「０１」に含まれる理論在庫数の合計（図１０の例では「９０」）８２２を表示する。また、制御部８１は、カウンタ９０４がカウントした、受信した新規のＩＣタグ情報でかつ指定された分類に含まれる新規ＩＣタグ情報の数８２３を表示する。
【００６４】
図１１は、Ｓ６２において制御部８１が表示部８２に表示した別の例である。図１１において、制御部８１は、カウンタ９０４がカウントして指定分類に含まれる新規ＩＣタグ情報の数８２３を、中分類毎に別々に表示している。このようにすることで、操作者は、指定された分類のうち、どの中分類のカウント数が少ないか（すなわち、どの中分類のＩＣタグ情報の受信数が少ないか）を把握することができる。なお、小分類のカウント数まで表示するようにしてもよい。
【００６５】
なお、図１０および図１１の例では、理論在庫数「９０」とカウント数「８５」とが一致していない。しかしながら、操作者は、表示された理論在庫数８２２とカウント数８２３とを見て、ＲＦＩＤリーダライタ１での、指定された分類の在庫の読取を終了してもよいか否かを判断することができる。すなわち、操作者は、理論在庫数「９０」に対して「８５」個の在庫商品を読み取ることができたため、指定された分類の在庫の読取を終了してもよいとの判断をすることができる。一方、例えば、理論在庫数「９０」に対して「５０」個の読み取りしかできていない場合は、操作者は、指定された分類の商品の読取終了はまだ早いと判断をすることができる。
【００６６】
また、ブザー８６が発する、上記Ｓ６３における音声報知音が鳴らなくなった場合に、操作者は、指定された分類の在庫の読取を終了してもよいとの判断をすることができる。
【００６７】
このように、実施形態では、携帯端末８は、指定された分類に含まれる商品のＩＣタグの新規カウント数（読取数）をカウントして表示部８２に表示する。そのため、操作者は、表示部８２に表示された数を見て、指定された分類の商品の読取が終了したかを判断することができる。また、携帯端末８は、新規商品がカウントされるとブザーにより報知する。そのため、操作者は、音が鳴らなくなった場合に、指定された分類の商品の読取が終了したかを判断することができる。
【００６８】
また、携帯端末８は、理論在庫数とカウント数が一致したことをブザー８６で報知するため、ＲＦＩＤリーダライタ１による読取りが終了したことを認識することができる。
【００６９】
なお、実施形態では、携帯端末８が、Ｓ４２の判断およびＳ４６の判断を行った。しかしながら、タグ読取装置の発明においては、Ｓ４２の判断およびＳ４６の判断を、携帯端末８またはＲＦＩＤリーダライタ１のいずれが行ってもよい。
【００７０】
また、タグ読取装置の発明においては、ＲＦＩＤリーダライタ１および携帯端末８が、Ｓ４２の判断とＳ４６の判断を分担して行うようにしてもよい。例えば、ＲＦＩＤリーダライタ１がＳ４２またはＳ４６の一方の判断を実行した場合、携帯端末８は、ＲＦＩＤリーダライタ１が実行しない他方の判断を実行するようにしてもよい。
【００７１】
また、在庫記憶部９０１、指定分類記憶部９０２、新規ＩＣタグ情報記憶部９０３、カウンタ９０４は、ＲＦＩＤリーダライタ１および携帯端末８のいずれにあってもよい。
【００７２】
以上、本発明の実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更、組み合わせを行うことができる。これらの実施形態やその変形は、発明の範囲や要旨に含まれるとともに、特許請求の範囲に記載された発明とその均等の範囲に含まれる。
【００７３】
例えば、実施形態では、ハンディタイプのＲＦＩＤリーダライタ１を用いてＩＣタグ情報を読み取ったが、ハンディタイプ以外のＲＦＩＤリーダライタであってもよい。また、ＲＦＩＤリーダライタ１の代わりに、読取専用のリーダを用いてもよい。また、ＲＦＩＤ以外のＩＣタグ情報を読み取るリーダライタ、またはリーダを用いてもよい。
【００７４】
なお、実施形態の携帯端末８で実行されるプログラムは、インストール可能な形式または実行可能な形式のファイルでＣＤ−ＲＯＭ、フレキシブルディスク（FD）、ＣＤ−Ｒ、ＤＶＤ（Digital  Versatile  Disk）等のコンピュータで読み取り可能な記録媒体に記録されて提供される。
【００７５】
また、実施形態の携帯端末８で実行されるプログラムを、インターネット等のネットワークに接続されたコンピュータ上に格納し、ネットワーク経由でダウンロードさせることにより提供するように構成してもよい。また、実施形態の携帯端末８で実行されるプログラムをインターネット等のネットワーク経由で提供または配布するように構成してもよい。
【００７６】
また、実施形態の携帯端末８で実行されるプログラムを、ＲＯＭ等に予め組み込んで提供するように構成してもよい。
【符号の説明】
【００７７】
１  ＲＦＩＤリーダライタ
３  アンテナ
８  携帯端末
１１  制御部
１７  バッテリー
８１  制御部
８６  ブザー
８１１  入力手段
８１２  指定手段
８１３  報知手段
８１４  カウント手段
９０１  在庫記憶部
９０２  指定分類記憶部
９０３  新規ＩＣタグ情報記憶部
９０４  カウンタ
【先行技術文献】
【特許文献】
【００７８】
【特許文献１】特開２００９−１２０３０１号公報
【図１】
0006295178.tif 000002
【図２】
0006295178.tif 000003
【図３】
0006295178.tif 000004
【図４】
0006295178.tif 000005
【図５】
0006295178.tif 000006
【図６】
0006295178.tif 000007
【図７】
0006295178.tif 000008
【図８】
0006295178.tif 000009
【図９】
0006295178.tif 000010
【図１０】
0006295178.tif 000011
【図１１】
0006295178.tif 000012